(57)【特許請求の範囲】
【請求項１】
電動送風機及び集塵体を内蔵し、前部に吸込口、上部にハンドル、後部に電源コード挿入口部を有する掃除機本体と、前記吸込口に着脱可能に接続され、底面に除塵体を有する吸込具とを備え、
底面に配設される車輪と、
前記電源コード挿入口部の下部に配設されるコード受けと、
電源コードの先端部を保持する溝と、
を有する電源コード巻き具を前記掃除機本体の底面に着脱可能に取り付け、
前記車輪と前記吸込具の除塵体が床面に当接した状態で、前記吸込具が装着された前記掃除機本体の重心から垂直方向下近傍に前記車輪を配設し、使用後に、前記電源コードを前記コード受けと前記吸込具に巻回するようにし、前記電源コードの先端を前記溝にて保持するようにしたことを特徴とする電気掃除機。
【発明の詳細な説明】
【０００１】
【発明の属する技術分野】
本発明は、電気掃除機に係り、さらに詳しくは、手持ちタイプで小形の電気掃除機における操作性の改良に関するものである。
【０００２】
【従来の技術】
図１３は特開平１０−９９２４２号公報に示された従来の小形の電気掃除機の一部破断側面図、図１４は動作説明図である。
【０００３】
図１３において、１は本体、２は正面側に設けられた吸込具、３は本体ケース、４は蓋、６はハンドル、７は電源コード、１０は植毛、３１は本体１の底部に着脱自在に嵌合され、電源コード７を収納する収納ケース、３２は収納ケース３１の底部に設けられたキャスタ、３３は後車輪１１である。
収納ケース３１は、吸込具２の吸込口が床面に接するような高さに形成されている。
【０００４】
以上のような構成により、使用するときに電源コード７を収納ケース３１から延出し、片付けるときは図１４に示すように、本体１と収納ケース３１とを分離して電源コード７を収納ケース３１の中に容易に入れることができ、電源コード７を一々折り畳んで束ねなくても収納することができる。
また、収納ケース３１の底部に車輪３３、キャスター３２が設けられると共に、吸込口が床面にフィットしているため、軽い力で前後するだけで自由に移動して掃除をすることができる。
【０００５】
【発明が解決しようとする課題】
上記のような従来の電気掃除機では、吸込具２の吸込口２ａが床面にフィットしているが、使用中は、塵を床面から舞い上がらせ集塵をよくするため、吸込口２ａの植毛１０を床面に少し押し付けるようにする必要があり、植毛１０は撓んだ状態となっている。
そして、保管時も使用時と同様に、吸込具２の吸込口２ａが床面にフィットさせている状態の場合が多く、植毛１０は撓んだ状態となっている。
従って、植毛１０は次第に変形してしまい、床面を押す力が弱まり、塵を床面から舞い上がらせる力が減少し集塵効率が悪くなる問題があった。
また、車輪３３が掃除機の重心線上になく、左右に旋回させる場合旋回しにくいという問題があった。
さらに、収納ケース３１は長い電源コード７を収納するため、大きい形状となり重くなり、使いにくいという問題があった。
また、吸込具２を外したときに、本体１の吸込具２を取り付ける部分が下向きであるため、本体１の内部の塵埃が床面にこぼれてしまうという問題があった。
【０００６】
この発明は、上述のような課題を解決するためになされたもので、保管状態にかかわらず吸い込み性能が維持でき、軽く、操作性にすぐれた使い勝手のよい小形の電気掃除機を得ることを目的とする。
【０００７】
【課題を解決するための手段】
この発明に係わる電気掃除機は、電動送風機及び集塵体を内蔵し、前部に吸込口、上部にハンドル、後部に電源コード挿入口部を有する掃除機本体と、前記吸込口に着脱可能に接続され、底面に除塵体を有する吸込具とを備え、底面に配設される車輪と、前記電源コード挿入口部の下部に配設されるコード受けと、電源コードの先端部を保持する溝と、を有する電源コード巻き具を前記掃除機本体の底面に着脱可能に取り付け、前記車輪と前記吸込具の除塵体が床面に当接した状態で、前記吸込具が装着された前記掃除機本体の重心から垂直方向下近傍に前記車輪を配設し、使用後に、前記電源コードを前記コード受けと前記吸込具に巻回するようにし、前記電源コードの先端を前記溝にて保持するようにしたものである。
【００１６】
【発明の実施の形態】
図１はこの発明の実施の形態である電気掃除機の全体構成を示す斜視図、図２は図１の側面図、図３は図１の断面図である。
【００１７】
図において、１は本体、２は本体１に着脱可能に設けられ、吸込口２ａを有する吸込具、３は本体ケース、３ａは排気口、４は蓋、５は電源スイッチ、６は本体１の重心Ｇの上方に設けられたハンドル、７は電源コード、８は本体１の底部に着脱自在に設けられ、保管時に電源コードを巻いておく電源コード巻き具、９は電源コード巻き具８の底面に設けられた軟質材からなる車輪であり、車輪９の回転中心が本体１の重心Ｇの直下近傍となるように配設されている。１０は吸込口２の底面２ａの縁部に設けられた除塵体である植毛であり、植毛の他に軟質部材も用いられる。１５は電動送風機、１７は電源コード７の本体ケース３への付根部分が挿入される電源コード挿入口部、２１は吸込具２の接続部２ｂが挿入される本体ケース３の本体吸込口、２５は集塵袋である。
【００１８】
電源コード巻き具８の詳細を図２・図８により説明する。図４は電気掃除機の底面部の斜視図、図５は電源コード巻き具８を取り外した時の斜視図、図６は電源コード巻具８を外したときの側面図、図７は電源コード巻き具８の側断面図、図８は図３の矢視Ｍ・Ｍの部分断面図である。
【００１９】
図において、１１は電源コード７の本体１の付根の下部になるように配設されたコード受け、１２は電源コード巻き具８に電源コード７を巻き付けた際に、電源コード７の先端部７ａがくる位置に設けられ、電源コード７の先端部７ａを挿入する溝、１３は溝１２の入り口両端部に設けられ、溝１２に挿入された電源コード７の先端部７ａをクランプする爪であり、爪１３の掛かり強さを、電源コード巻き具８を本体ケース３から取り外す力の強さよりも弱いように設定した。
１４はコード受け１１の底面に設けられた軟質部材であり、吸込具２が床面Ｆから浮いた時に床面Ｆに接するようにしている。
【００２０】
１６は電源コード巻き具８の後部に設けられ、電源コード挿入口部１７に引っかける掛け部、１８は車輪９の上方の電源コード巻き具８に設けられた開口部、２０は電源コード巻き具８の前部の内側の両側面に設けられ、本体ケース３の底部の突部３ｂの両側面に設けられた穴１９に挿入される突起である。２２は電源コード巻き具８を本体１から取り外すときに、例えば硬貨２６を挿入する切り欠け部である。
【００２１】
次に、使用中の動作を図２、図４、図５、図９により説明する。  床を掃除する場合は、図２に示すように吸込具２及びコード巻き具８を掃除気本体１に装着し、掃除機本体１の車輪９を床面Ｆに当接させ、ハンドル６を手で握り移動しながら掃除を行う。このとき、車輪９は吸込具２を装着したときの掃除機本体１の重心Ｇの直下近傍にあり、掃除機本体１の前後が床面Ｆに対してほぼ水平を保つトリムバランス設計であるため、車輪９に対する床面Ｆの反力Ｐ１は、掃除機本体１と吸込具２の合計重量Ｗと大体等しい。そして、吸込具２の植毛１０に対する床面Ｆの反力Ｐ２は殆ど０であり、植毛１０が床面Ｆを押す力が殆ど０であるので、掃除を行うときは吸引されるため植毛１０を床面Ｆに少し押し付けるようにして移動させる。
【００２２】
向きを変える場合は、ハンドル６が重心Ｇの直上近傍にあるので、図９に示すように掃除機本体１を床においたままハンドル６を中心に掃除機本体１を回して向きを変える。
【００２３】
次に、床面の狭い場所や家具、テレビ、机等を掃除する場合は、吸込具２を外し、ハンドル８を握って持ち上げて掃除をしてもよい。さらにコード巻き具８をを外して軽くして掃除をしてもよい。
このときのコード巻き具８の取り外し、取付けを図３〜図７により説明する。まず、コード巻き具８の取り外しは、図４のＡに示すように硬貨２６等を、切り込み部２２に差し込み、Ｂ方向に押して、本体ケース３の底面の突部３ｂに設けられた穴１９とコード巻き具８の突起２０との係合を外す。次に、Ｃ方向にコード巻き具８を押して、コード巻き具８の掛け部１６を本体ケース３の電源コード挿入口部１７から外し、コード巻き具８を本体ケース３から取り外す。
【００２４】
次に、コード巻き具８の取り付けは、まずコード巻き具８の掛け部１６を本体ケース３の電源コード挿入口部１７に合わせ、図５のＤに示す方向に押して引き掛け、Ｅ方向にコード巻き具８を押して本体ケース３の底面の穴１９とコード巻き具８の突起２０とを係合させ、コード巻き具８を本体１に取り付ける。
【００２５】
次に、掃除終了後、電気掃除機を保管する場合の動作について、図１０、図１２により説明する。まず、電源コード７をコード巻き具８のコード受け１１と吸込具２に電源コード７の根元から巻き付け、電源コードの先端部７ａをコード巻き具８の爪１３の間から溝１２に押し込んで止める。このとき、溝１２は電源コードの先端部７ａの近傍がくる位置に設けられているので、コード巻き取り具８に巻いていけばコード先端部７ａが丁度が溝１２の位置にくる。そして、植毛１０に負荷がかからないので、車輪９及び吸込具２の植毛１０を床面Ｆに当接させたまま保管する。
【００２６】
吸込具２を取り外して使用した後に保管するときは、吸込具２を本体ケース３に装着しなくとも、吸込具２を掃除機本体１に装着しないときは図１１に示すように重心Ｇが掃除機本体１の後部のＧａに移動し、掃除機本体１の前部が持ち上がり、コード巻き具８の後部に設けられた軟質部材１４が床Ｆに当接した状態となっており、吸込口２１が上を向いており、塵埃が吸込口２１から漏れることもないので、このまま保管する。
【００２７】
次に、掃除を開始する場合は、図１２に示すように電源コードの先端７ａを爪１３から外して、溝１２からＨ方向に取り出し、さらに、吸込具２をＪ方向に取り外し、コード受け１１から電源コード７全体を巻いたままの状態でＫ方向に取り外す。
このとき、爪１３の掛かり強さを、コード巻き具８を掃除機本体１から取り外すときよりも弱い荷重に設定されており、電源コード７を爪１３から外すとき、コード巻き取り具８が本体ケース３から外れることはない。
【００２８】
なお、上記実施の形態では車輪９を設けたものを示したが、車輪９に代え本体ケース３、またはコード巻き取り具８の底面に突設された軟質材で形成された本体支持部としてもよい。
【００２９】
【発明の効果】
以上のように、この発明によれば、電動送風機及び集塵体を内蔵し、前部に吸込口、上部にハンドル、後部に電源コード挿入口部を有する掃除機本体と、前記吸込口に着脱可能に接続され、底面に除塵体を有する吸込具とを備え、底面に配設される車輪と、前記電源コード挿入口部の下部に配設されるコード受けと、電源コードの先端部を保持する溝と、を有する電源コード巻き具を前記掃除機本体の底面に着脱可能に取り付け、前記車輪と前記吸込具の除塵体が床面に当接した状態で、前記吸込具が装着された前記掃除機本体の重心から垂直方向下近傍に前記車輪を配設し、使用後に、前記電源コードを前記コード受けと前記吸込具に巻回するようにし、前記電源コードの先端を前記溝にて保持するようにしたので、保管時に除塵体を床に接して置いても除塵体に荷重が加わらないので、へたりなどの変形がなく、吸い込み性能が維持でき、電源コードの収納性をよくし、軽く、操作性にすぐれ、使い勝手をよくすることができる。
【００３４】
また、吸込口が持ち上がったときに、電源コード巻き具の底面が床面に当接する位置に、軟質部材を設けたので、床面を傷つけることなく、また、塵埃が吸込口から漏れないようにすることができる。
【００３６】
また、本体支持部を車輪とし、電源コード巻き具の車輪装着部の上部に設けられた開口部と、この開口部と掃除機本体底部との間に設けた間隙と、を備えたので、本体を持ち上げずに床面を傷つけることなく掃除ができ、また、左右の旋回をスムーズにすることができる。また、車輪部にゴミがからんでも、電源コード巻き具を取りはずして、開口部からゴミを排除できる。
【００３７】
また、ハンドルは掃除機本体上部の前記重心位置の直上近傍に設けたので、左右の旋回をスムーズにすることができ、操作性にすぐれ、使い勝手をよくすることができる。
【図面の簡単な説明】
【図１】  この発明の実施の形態に係る電気掃除機の全体構成を示す斜視図である。
【図２】  この発明の実施の形態に係る電気掃除機の側面図である。
【図３】  この発明の実施の形態に係る電気掃除機の断面図である。
【図４】  この発明の実施の形態に係る電気掃除機の底部から見た斜視図である。
【図５】  この発明の実施の形態に係る電気掃除機の底部から見た分解斜視図である。
【図６】  この発明の実施の形態に係る電気掃除機の分解側面図である。
【図７】  図３のコード巻き具の断面図である。
【図８】  図３のコード巻き具のＭ−Ｍ断面図である。
【図９】  この発明の実施の形態に係る電気掃除機の動作を示す平面図である。
【図１０】  この発明の実施の形態に係る電気掃除機の動作を示す底部から見た斜視図である。
【図１１】  この発明の実施の形態に係る電気掃除機の動作を示す側面図である。
【図１２】  この発明の実施の形態に係る電気掃除機の動作を示す底部から見た分解斜視図である。
【図１３】  従来の小形の電気掃除機の側面図である。
【図１４】  従来の小形の電気掃除機の分解側面図である。
【符号の説明】
１  本体、２  吸込具、３  本体ケース、６  ハンドル、８  電源コード巻き具、９  車輪、１０  植毛、１１  コード受け、１２  溝、１３  爪、１４  軟質部材、１６  掛け部、１８  開口部、１９  穴、２０  突起、２１  吸込口。
【図１】
0003887766.tif 000002
【図２】
0003887766.tif 000003
【図３】
0003887766.tif 000004
【図４】
0003887766.tif 000005
【図５】
0003887766.tif 000006
【図６】
0003887766.tif 000007
【図７】
0003887766.tif 000008
【図８】
0003887766.tif 000009
【図９】
0003887766.tif 000010
【図１０】
0003887766.tif 000011
【図１１】
0003887766.tif 000012
【図１２】
0003887766.tif 000013
【図１３】
0003887766.tif 000014
【図１４】
0003887766.tif 000015